(57)【要約】【構成】外管１４内に複数の内管１６が収納されたケーブル保護管１２の内管１６を分岐するための分岐部材１０であって、分岐部材１０の外管部１８および各内管部２０は、保護管１２の外管１４および各内管１６のそれぞれとゴム輪受口１８ｂ，１４ｂ，２６で接合される。所定の内管部２０に形成された内分岐管２８は、外管部１８の外側に延びている。したがって、保護管路２４の途中に分岐部材１０を接合することで、保護管路２４の任意の位置で所望の内管１６を分岐できる。引込み用の通信ケーブルは、内分岐管２８に通すことによって、この内分岐管２８が形成されている内管部２０、およびこの内管部２０に接合されている内管１６に通信ケーブルを通すことができる。【効果】保護管に収容されている内管を分岐させる箇所にハンドホールを設置する必要がないので、ハンドホールの施工費用が不要となり、施工時間の短縮を図ることができる。【選択図】　図５
2004076890.tif 000002
【特許請求の範囲】
【請求項１】
外管内に複数の内管が収納されたケーブル保護管の前記内管を分岐するための分岐部材であって、
前記外管に対して接合部が密封された状態で接合される外管部、
前記外管部内に２本以上収納され、そのうちの少なくとも１本に分岐管が形成され、前記分岐管が前記外管部の管壁を貫通して外側に延びかつ前記分岐管と前記管壁との間が密封された、複数の内管部、
それぞれの前記内管部の両端に形成され前記内管と接合されるゴム輪受口、および
それぞれの前記内管部の両端を前記外管部に固定する固定部材を備える、ケーブル保護管の分岐部材。
【請求項２】
前記外管部の一端が前記外管のゴム輪受口に挿入される差口として形成され、前記外管部の他端が前記外管の差口を受容するゴム輪受口として形成された、請求項１記載のケーブル保護管の分岐部材。
【請求項３】
前記分岐管と前記外管部との間が分岐サドルで密封され、前記分岐サドルは内部に前記分岐管が挿入される外分岐管、および前記外分岐管から延びて形成され前記外管部の外面に固定されるサドル部を含む、請求項１または２記載のケーブル保護管の分岐部材。
【請求項４】
外管内に複数の内管が収納されたケーブル保護管に請求項１ないし３のいずれかに記載のケーブル保護管の分岐部材を接合して形成された、ケーブル保護管路。
【発明の詳細な説明】
【０００１】
【産業上の利用分野】
この発明はケーブル保護管の分岐部材およびケーブル保護管路に関し、特にたとえば、通信ケーブルまたは電力ケーブル等のようなケーブルを保護するケーブル保護管の内管を分岐するための、ケーブル保護管の分岐部材およびケーブル保護管路に関する。
【０００２】
【従来技術】
従来、ケーブル保護管内に通線される多条の通信ケーブルのうち、一部の通信ケーブルを需要家等に引き込むときに使用される分岐管継手の一例が特許第２５３０９４１号（Ｆ１６Ｌ　４１／０２）に開示されている。この分岐管継手１を使用して本管２を分岐するときは、図７および図８に示すように、共同溝等に設置される本管２の分岐させようとする箇所に開口部２ａを形成して、その開口部２ａを覆うように分岐管継手１を本管２に取り付ける。そして、この分岐管継手１に引込み管３を接続してこの引込み管３を需要家の建物等に導いて設置する。次に、本管２，分岐管継手１および引込み管３に需要家の建物等に引込まれる通信ケーブル（図示せず）を通線する。
【０００３】
【発明が解決しようとする課題】
しかし、図７および図８に示す従来の分岐管継手１では、本管２内に裸の状態で通線される通信ケーブルを本管２から引き出すことができるが、本管２内に内管（図示せず）が収納されていて、その内管内に通線される通信ケーブルを、この分岐管継手１の分岐管１ａに通して引き出すことができないという問題がある。
【０００４】
つまり、本管２内に通信ケーブル４が裸の状態で通線される場合は、たとえば設置されている分岐管継手１の分岐管１ａの側から通信ケーブルを挿入し、そして本管２内に通線して配線することができる。しかし、本管２内に収納された内管内に通信ケーブルが通線される場合は、設置されている分岐管継手１の分岐管１ａの側から通信ケーブルを挿入して、外から見えない状態の所定の内管内に通線することができない。
【０００５】
そこで、従来では、このように本管（外管）２内に内管を収納するケーブル保護管において、内管に通線される通信ケーブルを本管２から引き出して需要家の建物等に引き込むときは、その分岐場所に図７に示すようなハンドホール５を設置して、そのハンドホール５から通信ケーブルを引き出す方法がある。
【０００６】
しかし、このようにハンドホール５を使用すると、ハンドホール５の設置およびハンドホール５と本管２および各内管との接続等のための施工費用が嵩む上、施工時間が長くかかるという問題がある。
【０００７】
なお、本管２内に内管を配置して、内管内に通信ケーブル４を通線する理由の１つとして、本管２内に通線される多条の通信ケーブル４が複数の事業者によって使用される場合、内管ごとにその内管に通線される通信ケーブル４を使用する事業者を定めることができるからである。このようにすると、通信ケーブル４の保守、点検が便利であり、通線等の施工がし易いという利点がある。
【０００８】
それゆえに、この発明の主たる目的は、内管を密封された状態で分岐させることができ、施工費用が安価であり、施工時間を短縮できる、ケーブル保護管の分岐部材およびケーブル保護管路を提供することである。
【０００９】
【課題を解決するための手段】
第１の発明は、外管内に複数の内管が収納されたケーブル保護管の内管を分岐するための分岐部材であって、外管に対して接合部が密封された状態で接合される外管部、外管部内に２本以上収納され、そのうちの少なくとも１本に分岐管が形成され、分岐管が外管部の管壁を貫通して外側に延び、かつ分岐管と管壁との間が密封された、複数の内管部、それぞれの内管部の両端に形成され内管と接合されるゴム輪受口、およびそれぞれの内管部の両端を外管部に固定する固定部材を備える、ケーブル保護管の分岐部材である。
【００１０】
第２の発明は、外管内に複数の内管が収納されたケーブル保護管に第１の発明のケーブル保護管の分岐部材を接合して形成された、ケーブル保護管路である。
【００１１】
【作用】
第１の発明に係るケーブル保護管の分岐部材によると、外管の内側に内管が収納されているケーブル保護管の端部に、この分岐部材を接合することによって、この分岐部材の箇所で内管を分岐させることができる。したがって、ケーブル保護管路の途中に分岐部材を接合することによって、ケーブル保護管路の任意の位置で所望の内管を分岐させることができる。
【００１２】
分岐部材を保護管の端部に接合するときは、保護管の各内管の端部を分岐部材の各内管部のゴム輪受口に接合するとともに、分岐部材の外管部の端部を保護管の外管の端部に接合すればよい。この接合状態で、分岐部材の分岐管によって、保護管の内管を分岐させることができる。この分岐される内管は、分岐管が形成されている内管部と接合するものである。
【００１３】
そして、内管部に引込み用のケーブルを通線するときは、たとえば分岐管の先端開口部側からケーブルを挿入すればよい。これによって、その分岐管が形成されている内管部にケーブルを通すことができ、この内管部に接合されている保護管の内管にケーブルを通線できる。
【００１４】
また、この接合した状態で、内管と内管部とのゴム輪接合部、外管と外管部との接合部、および分岐管と外管部の管壁との間がそれぞれ密封される。
【００１５】
第２の発明に係るケーブル保護管路によると、第１の発明の分岐部材を使用しているので、保護管路の任意の位置で所望の内管を分岐させることができる。
【００１６】
【発明の効果】
この発明によれば、ケーブル保護管に分岐部材を接合することによって、保護管路の任意の位置で所望の内管を分岐させることができる。したがって、従来のように、ハンドホールを設置する必要がないので、ハンドホールの施工費用が不要となり、施工時間の短縮を図ることができる。そして、分岐管の先端開口部側からケーブルを挿入することによって、その分岐管が形成されている内管部、およびこの内管部に接合される内管にケーブルを通すことができるので、簡単に通線できる。
【００１７】
また、所定の内管部に分岐管が形成されており、かつ内管部と内管とがゴム輪接合されるので、内管を密封した状態で分岐させることができる。よって、分岐管内に通線されるケーブルの汚れや劣化等を防止できる。
【００１８】
この発明の上述の目的，その他の目的，特徴および利点は、図面を参照して行う以下の実施例の詳細な説明から一層明らかとなろう。
【００１９】
【実施例】
この発明に係るケーブル保護管の分岐部材（以下、単に「分岐部材」と言うこともある。）、およびこの分岐部材を使用して形成されたケーブル保護管路の一実施例を図１〜図６を参照して説明する。この分岐部材１０が接合されるケーブル保護管（以下、単に「保護管」と言うこともある。）１２は、複数本のケーブル（図示せず）、たとえば通信ケーブルまたは電力ケーブル（以下、「通信ケーブル」と言う。）を配線する際に、これら通信ケーブルを一括して収容し、かつ保護するものである。そして、分岐部材１０は、図５および図６に示すように、たとえば保護管１２と保護管１２との間に接合されて、保護管１２の外管１４内に収容されている所定の内管１６を分岐するものであり、外管部１８、複数本（この実施例では４本）の内管部２０、および固定部材２２を含む。なお、これら保護管１２の外管１４および内管１６、ならびに分岐部材１０の外管部１８および内管部２０は、それぞれたとえば塩化ビニル等の合成樹脂製である。
【００２０】
保護管１２の外管１４は、図５に示すように、円筒形の直管部１４ａ、およびこの直管部１４ａの一端に拡径して形成されたゴム輪受口１４ｂを備えている。このゴム輪受口１４ｂは、開口側の先端付近の内周面にゴム輪溝が形成されており、このゴム輪溝にゴム輪１４ｃが装着されている。そして、直管部１４ａの他端に差口が形成されている。この保護管１２は、差口を他の保護管１２のゴム輪受口１４ｂに接合することによって、それぞれの接合部が水密封止された状態で保護管路２４を形成することができる。
【００２１】
保護管１２の４本の各内管１６は、円筒形に形成されていて、外管１４の内部に収納されている。各内管１６は、外管１４内でケーブル収容スペースを確保するためのものであり、内部に通信ケーブル（図示せず）が通線される。なお、たとえば内管１６ごとに、その内管１６に通線される通信ケーブルを使用する事業者を定めることができる。
【００２２】
分岐部材１０の外管部１８は、図１および図２に示すように、円筒形の直管部１８ａ、およびこの直管部１８ａの一端に拡径して形成されたゴム輪受口１８ｂを備えている。このゴム輪受口１８ｂは、開口側の先端付近の内周面にゴム輪溝が形成されており、このゴム輪溝にゴム輪１８ｃが装着されている。そして、直管部１８ａの他端に差口が形成されている。この外管部１８のゴム輪受口１８ｂおよび差口は、外管１４の差口およびゴム輪受口１４ｂに水密性が確保される状態で接合できるように形成されている。また、外管部１８および外管１４のそれぞれの直管部１８ａおよび１４ａは、同一の直径に形成されている。なお、分岐部材１０は、その管軸方向の長さが保護管１２の同方向の長さよりも短く形成されている。
【００２３】
分岐部材１０の４本の各内管部２０は、図１および図２に示すように、ほぼ円筒形であって、外管部１８の直管部１８ａとほぼ同一の長さに形成されていて、外管部１８の内部に収納されている。各内管部２０は、外管部１８内でケーブル収容スペースを確保するためのものであり、内部に通信ケーブル（図示せず）が通線される。そして、それぞれの内管部２０の両方の各端部には、ゴム輪受口２６が形成されている。各ゴム輪受口２６は、開口側端部の内周面にゴム輪溝が形成されており、各ゴム輪溝にゴム輪２６ａが装着されている。各ゴム輪受口２６は、図５に示すように、保護管１２内に収納されている内管１６の端部を受容して、水密性を確保した状態で接合できるようになっている。したがって、内管部２０の内径は、内管１６の外径よりも少し大きい寸法である。
【００２４】
また、図３に示すように、４本の内管部２０のうちの１本の内管部２０の管壁から内分岐管２８が斜めに延びて形成されている。この内分岐管２８は、内管部２０とほぼ同一の直径の筒状体であって、内管部２０と一体に形成されている。内分岐管２８と内管部２０との交差角度は、内分岐管２８および内管部２０内に通線される通信ケーブル（光ケーブル）の許容曲率半径（たとえば半径３００ｍｍ）に対応する角度になっている。この通信ケーブルは、保護管１２の所定の内管１６、内管部２０、内分岐管２８、および波付管３０を含む引込み管３２に通線されて需要家の建物等に引込まれる。
【００２５】
さらに、内分岐管２８は、図３に示すように、外管部１８の管壁に形成されている分岐管挿通孔３４を通り、外管部１８の外側に突出している。この内分岐管２８の先端には、図６に示すように、可撓性を有する波付管３０を含む引込み管３２が接続される。
【００２６】
そして、図３に示すように、内分岐管２８と外管部１８との間は、分岐サドル３６によって水密封止されている。分岐サドル３６は、外分岐管３８およびサドル部４０を含む。外分岐管３８は、ほぼ短円筒形であり、内部に内分岐管２８が挿入されていて、先端から内分岐管２８の先端が突出する長さに形成されている。このように、内分岐管２８の先端が突出しているのは、この先端部に波付管３０を接合できるようにするためである。そして、外分岐管３８は、その先端よりも少し奥側位置の内周面にゴム輪溝が形成されており、ゴム輪溝にゴム輪４２が装着されている。このゴム輪４２は、外分岐管３８の内周面と内分岐管２８の外周面との隙間を水密封止している。
【００２７】
サドル部４０は、図３および図６に示すように、外管部１８の外面に沿うように湾曲した形状であり、外分岐管３８と一体に形成されている。このサドル部４０は、外管部１８に形成された分岐管挿通孔３４を完全に覆うことができる大きさに形成されている。そして、サドル部４０は、分岐管挿通孔３４を完全に覆う状態であって、外管部１８の外面に水密性が確保された状態で接着されている。しかも、このサドル部４０は、ステンレス製のバンド４４によって外管部１８に締め付けられて固定されている。
【００２８】
固定部材２２は、図１および図２に示すように、外管部１８内で４本の各内管部２０を固定的に支持するものであり、２枚の円板状体からなっている。この２つの固定部材２２のうち、図１に示す左側の固定部材２２は、直管部１８ａのゴム輪受口１８ｂ側の端部の内周面に嵌合した状態で接着されており、右側の固定部材２２は、直管部１８ａの差口側の端部の内周面に嵌合した状態で接着されている。そして、各固定部材２２には、４つの孔４６が形成されており、左側の固定部材２２の各孔４６には各内管部２０の左側端部が嵌め込まれた状態で接着されている。そして、右側の固定部材２２の各孔４６には、各内管部２０の右側端部が嵌め込まれた状態で接着されている。このようにして、固定部材２２，２２は、外管部１８内で４本の各内管部２０を互いに平行した状態で固定的に支持している。
【００２９】
なお、外管１４および外管部１８の直径はたとえば約２００ｍｍであり、内管部２０の直径はたとえば約５０ｍｍである。そして、内管１６の外径は、内管部２０の内径よりも少し小さい寸法である。
【００３０】
次に、図１に示す分岐部材１０および保護管１２を使用して、図５および図６に示すように、ケーブル保護管路（以下、単に「保護管路」と言うこともある。）２４を形成する手順を説明する。この保護管路２４は、たとえば共同溝に設置される。まず、予め設置されているハンドホール（図示せず）とハンドホールとの間にこれらを接続するように、保護管１２を順次接続していく。つまり、一方の保護管１２の外管１４に形成されている差口を他方の保護管１２の外管１４に形成されているゴム輪受口１４ｂに接合する。この際、各保護管１２内に収納されているそれぞれの内管１６も接続していく。そして、ハンドホールとハンドホールとの間であって、たとえば需要家の建物に比較的接近する適切な箇所に保護管１２の先頭が到達したときに、図５に示すように、保護管１２の端部に分岐部材１０を接合する。
【００３１】
分岐部材１０を保護管１２の端部に接合するときは、この実施例では保護管１２内の４本の内管１６が外管１４に固定されていないので、まず、保護管１２の各内管１６の端部を分岐部材１０の各内管部２０のゴム輪受口２６に接合する。しかる後に、分岐部材１０の外管部１８のたとえばゴム輪受口（または差口）１８ｂを保護管１２の外管１４の差口（またはゴム輪受口１４ｂ）に接合すればよい。この接合状態で、分岐部材１０の内分岐管２８によって、保護管１２の内管１６を分岐させることができる。この分岐される内管１６は、内分岐管２８が形成されている内管部２０と接合するものである。
【００３２】
次に、図５に示すように、分岐部材１０の各内管部２０の右側端部に、上記と同様にして、次の保護管１２の各内管１６を接合する。そして、分岐部材１０の外管部１８の差口（またはゴム輪受口１８ｂ）を次の保護管１２の外管１４のゴム輪受口（または差口）１４ｂに接合する。このようにして順次保護管１２を接合して次のマンホールに到達するまで保護管路２４を形成する。また、分岐部材１０の内分岐管２８に、図６に示すように波付管３０を含む引込み管３２を接続する。
【００３３】
そして、引込み用の通信ケーブルを、図６に示す引込み管３２の端部から挿入して内分岐管２８，内管部２０，および内管１６に通線する。また、引込み用の通信ケーブル以外の通信ケーブルを、一方のマンホールに接続されている各内管１６の端部から挿入して、各保護管１２の各内管１６および分岐部材１０の各内管部２０に通して、他方のマンホールに接続されている各内管１６の端部から引き出す。これで、分岐部材１０が装着された保護管路２４の設置、および通信ケーブルの通線作業が終了する。
【００３４】
このケーブル保護管の分岐部材１０によると、図５に示すように、保護管１２の端部にこの分岐部材１０を接合することによって、この分岐部材１０の箇所で内管１６を分岐させることができる。したがって、ケーブル保護管路２４の途中に分岐部材１０を接合することによって、保護管路２４の任意の位置で所望の内管１６を分岐させることができる。よって、従来のように、分岐箇所にハンドホールを設置する必要がないので、ハンドホールの施工費用が不要となり、施工時間の短縮を図ることができる。
【００３５】
そして、通信ケーブルを引込み管３２の開口部から挿入することによって、内分岐管２８に通すことができ、この内分岐管２８が形成されている内管部２０、およびこの内管部２０に接合されている内管１６にケーブルを通すことができる。よって、引込み用の通信ケーブルを簡単に通線できる。
【００３６】
また、所定の内管部２０に内分岐管２８が形成されており、かつこの内分岐管２８が形成されている内管部２０と内管１６とがゴム輪接合しているので、内管１６を水密封止した状態で分岐させることができる。よって、内分岐管２８内に通線される通信ケーブルの汚れや劣化等を防止できる。もちろん、内分岐管２８が形成されていない内管部２０と内管１６とがゴム輪接合しているので、これらの内管部２０および内管１６に通線される通信ケーブルの汚れや劣化等も防止できる。
【００３７】
さらに、４本の各内管部２０と４本の各内管１６とがゴム輪受口２６でゴム輪接合しているので、たとえば地震動や温度変化等によって、保護管１２の内管１６が外管１４に対して相対的にたとえば管軸方向に移動した場合、その移動をこのゴム輪接合部によって許容することができる。
【００３８】
そして、図５および図６に示すように、分岐部材１０を保護管路２４の途中に接合した状態で、外管１４と外管部１８とがゴム輪受口１８ｂでゴム輪接合していて、この接合部が水密封止されており、さらに内分岐管２８と外管部１８の管壁との間が分岐サドル３６によって水密封止されているので、地下水等の保護管路２４内への浸入を防止できる。
【００３９】
また、図３に示すように、分岐サドル３６の外分岐管３８と内分岐管２８とは、ゴム輪４２によってゴム輪接合されているので、この接合部の水密性を確実に、しかも簡単に確保できる。
【００４０】
ただし、上記実施例では、図３に示すように、分岐サドル３６の外分岐管３８と内分岐管２８とをゴム輪４２（ゴム輪接合）によってその隙間を水密封止したが、これに代えて、図４に示すように、外分岐管３８の内周面と内分岐管２８の外周面とを接着剤４８による接着接合によってその隙間を水密封止してもよい。
【００４１】
そして、上記実施例では、分岐部材１０の外管部１８の外面を滑らかな円筒面として形成し、サドル部４０の外面を滑らかな曲面として形成したが、これに代えて、外管部１８の外面およびサドル部４０の外面に周方向に複数のリブを形成してもよい。リブを設けることによって分岐部材１０の機械的強度を向上させることができる。また、外管部１８の外面に上記リブを形成した場合、サドル部４０を蛇腹（波付）形状とし、サドル部４０の内表面に形成される溝に、外管部１８の外面に形成したリブが嵌まり合うようにしてもよい。さらに、外管１４の外面を滑らかな円筒面として形成したが、これに代えて、外管１４の外面に周方向に複数のリブを形成してもよい。
【００４２】
また、上記実施例では、１本の内管部２０に内分岐管２８を形成したが、１本以外のたとえば２本の各内管部２０に内分岐管２８を形成してもよい。この場合、たとえば外管部１８に分岐管挿通孔３４を２つ形成する。そして、上記実施例と同様に、各分岐管挿通孔３４に対して分岐サドル３６を取り付けて、各分岐サドル３６の外分岐管３８内に内分岐管２８を接合する。または、分岐サドル３６のサドル部４０に２つの外分岐管３８を設け、各外分岐管３８内に２つの各内分岐管２８を上記実施例と同様に接合してもよい。
【００４３】
さらに、上記実施例では、保護管１２の外管１４内に内管１６が４本収納されているので、分岐部材１０の内管部２０も４本としたが、保護管１２の内管１６が４本以外の本数、たとえば６本である場合は、分岐部材１０の内管部２０の本数を６本とすることができる。
【００４４】
そして、上記実施例では、保護管１２内の４本の内管１６が外管１４に固定されていないが、保護管１２内の４本の内管１６が外管１４に固定されているときは、保護管１２の外管１４および各内管１６と、分岐部材１０の外管部１８および各内管部２０とを同時にそれぞれを接合することができる。つまり、保護管１２の固定された４本の内管１６の端部と、分岐部材１０の固定された４本の内管部２０の端部とについて、外管部１８の周方向の位置合わせをする。そして、分岐部材１０を保護管１２の端部に接合すればよい。もちろん、保護管１２の外管１４に対する４本の各内管１６は、分岐部材１０の外管部１８に対する４本の各内管部２０と同一の位置関係で固定されている。
【図面の簡単な説明】
【図１】この発明の一実施例に係るケーブル保護管の分岐部材の内部機構を示す断面図である。
【図２】図１に示す分岐部材をＩＩ−ＩＩの方向から見た断面図である。
【図３】図１に示す分岐部材の分岐サドルと内分岐管との接合部を示す部分拡大断面図である。
【図４】図３に示す分岐サドルの他の例を示す部分拡大断面図である。
【図５】図１に示す分岐部材をケーブル保護管に接合した状態を示す断面図である。
【図６】図１に示す分岐部材をケーブル保護管に接合した状態を示す外観図である。
【図７】従来の分岐管継手をケーブル保護管に設けて形成された保護管路を示す正面図である。
【図８】図７に示す従来の分岐管継手が設けられている保護管路を示す縦断面図である。
【符号の説明】
１０　…分岐部材
１２　…ケーブル保護管
１４　…外管
１４ｂ，１８ｂ，２６　…ゴム輪受口
１４ｃ，１８ｃ，２６ａ，４２　…ゴム輪
１６　…内管
１８　…外管部
２０　…内管部
２２　…固定部材
２４　…ケーブル保護管路
２８　…内分岐管
３２　…引込み管
３４　…分岐管挿通孔
３６　…分岐サドル
３８　…外分岐管
４０　…サドル部
４６　…孔
４８　…接着剤
【図１】
2004076890.tif 000003
【図２】
2004076890.tif 000004
【図３】
2004076890.tif 000005
【図４】
2004076890.tif 000006
【図５】
2004076890.tif 000007
【図６】
2004076890.tif 000008
【図７】
2004076890.tif 000009
【図８】
2004076890.tif 000010